(57)【特許請求の範囲】
【請求項１】
管理条件が保存された記憶部と、
第１の計測値を計測して出力する第１の計測部と、
第２の計測値を計測して出力する第２の計測部と、
各種情報を送受信する通信部と、
前記第１の計測部から出力された第１の計測値が正常か異常かを前記保存された管理条件を用いて判定し、異常である場合は前記第２の計測部から出力された第２の計測値を用いて緊急事態か否かを判定すると共に前記通信部を介して前記出力された第１の計測値を外部へ送信し、新たな管理条件を受信した場合は前記保存された管理条件を該新たな管理条件に更新させる制御部と、
を備える携帯端末。
【請求項２】
前記制御部は、緊急事態である場合、さらに、該緊急事態が一定期間継続するか否か監視し、継続している場合は緊急通報を行うと共に継続していない場合は緊急通報を行わない、請求項１記載の携帯端末。
【請求項３】
緊急事態である場合に報知を開始する報知部をさらに備え、
前記制御部は、前記報知部が前記報知を一定期間継続した時、緊急事態が一定期間継続していると判断する、請求項２記載の携帯端末。
【請求項４】
前記第２の計測部は、前記計測した第２の計測値を前記記憶部へ出力して保存し、
前記制御部は、前記第１の計測値が異常である場合は前記記憶部に保存されている第２の計測値を用いて緊急事態か否か判定する、請求項１乃至３のいずれか１項記載の携帯端末。
【請求項５】
前記第１の計測値はユーザの健康に関するデータであり、前記第２の計測値はユーザの周囲環境に関するデータである、請求項１乃至４のいずれか１項記載の携帯端末。
【請求項６】
位置情報を取得して出力する位置情報取得部をさらに備え、
前記制御部は、前記緊急通報に前記位置情報取得部から受け取った位置情報を付加する、
請求項２乃至５のいずれか１項記載の携帯端末。
【請求項７】
前記制御部は、前記第１の計測部から出力された第１の計測値を前記記憶部に保存すると共に、前記緊急通報に前記記憶部に保存されている第１の計測値を付加する、請求項２乃至６のいずれか１項記載の携帯端末。
【請求項８】
第１の計測値を受信した場合に管理条件の入力を受け付け、該受け付けた管理条件を返信する管理端末と、
請求項１乃至７のいずれか１項記載の携帯端末と、
を備える健康管理システム。
【請求項９】
管理条件が保存された記憶部および各種情報を送受信する通信部を備えた携帯端末が、
第１の計測値を計測して出力し、
第２の計測値を計測して出力し、
前記出力された第１の計測値が正常か異常かを前記保存された管理条件を用いて判定し、異常である場合は前記出力された第２の計測値を用いて緊急事態か否かを判定すると共に前記通信部を介して前記出力された第１の計測値を外部へ送信し、新たな管理条件を受信した場合は前記保存された管理条件を該新たな管理条件に更新する、
健康管理方法。
【発明の詳細な説明】
【技術分野】
【０００１】
本発明は、緊急事態の場合に自動的に緊急通報を行う携帯端末、健康管理システムおよび携帯端末を用いた健康管理方法に関する。
【背景技術】
【０００２】
昨今、地域の結びつきが希薄となっている。そのため、老人の孤独死等のように、個人の生命管理が危機的状況にある。一方、携帯電話機の所有率は、今や１人１台になろうとしている。更に、携帯電話機に搭載される機能は豊富になり、様々な情報を高速に伝達するツールとして社会に定着している。そこで、携帯電話機を用いて地域と連携を取る技術が種々提案されている。
【０００３】
例えば、特許文献１には、携帯電話機を用いてユーザの人体情報を取得し、取得した人体情報が異常の場合はさらに緊急性を要するか否か判定し、緊急性があると判定した場合に自動的に管理局へ緊急通報する携帯電話機が提案されている。なお、特許文献２や特許文献３他にも同様の技術が開示されている。
【先行技術文献】
【特許文献】
【０００４】
【特許文献１】特開２００２−２８８３４７号公報
【特許文献２】特開２００３−２２４６７４号公報
【特許文献３】特表２０１０−５１６１７９号公報
【発明の概要】
【発明が解決しようとする課題】
【０００５】
しかし、特許文献１の技術は、正常または異常を判断する時に用いた人体情報を別のしきい値と比較して緊急性を判断するものであり、信憑性が低い。
【０００６】
本発明は上記の問題に鑑みてなされたものであり、緊急事態であるか否かを信頼性高く判断して、緊急事態の場合は自動的に緊急通報を行う、携帯端末、健康管理システムおよび携帯端末を用いた健康管理方法を提供することを目的とする。
【課題を解決するための手段】
【０００７】
上記目的を達成するために本発明に係る携帯端末は、管理条件が保存された記憶部と、第１の計測値を計測して出力する第１の計測部と、第２の計測値を計測して出力する第２の計測部と、第１の計測部から出力された第１の計測値が正常か異常かを管理条件を用いて判定し、異常である場合は第２の計測部から出力された第２の計測値を用いて緊急事態か否かを判定し、緊急事態である場合は緊急通報を行う制御部と、を備える。
【０００８】
上記目的を達成するために本発明に係る健康管理システムは、第１の計測値を受信した場合に管理条件の入力を受け付け、該受け付けた管理条件を返信する管理端末と、計測された第１の計測値が異常である場合、該第１の計測値を管理装置へ送信すると共に、管理装置から管理条件が返信された場合、記憶部に保存されている管理条件を返信された管理条件へ更新する上述の携帯端末と、を備える。
【０００９】
上記目的を達成するために本発明に係る携帯端末を用いた健康管理方法は、管理条件が保存された記憶部を備えた携帯端末を用い、第１の計測値を計測して出力し、第２の計測値を計測して出力し、出力された第１の計測値が正常か異常かを管理条件を用いて判定し、異常である場合は出力された第２の計測値を用いて緊急事態か否かを判定し、緊急事態である場合は緊急通報を行う。
【発明の効果】
【００１０】
本発明に係る携帯端末、健康管理システムおよび携帯端末を用いた健康管理方法において、携帯端末は、第１の計測値が異常の場合、さらに、第１の計測値とは別の第２の計測値を用いて緊急事態であるか否かを判定する。従って、緊急事態か否かを信頼性高く判断することができる。
【図面の簡単な説明】
【００１１】
【図１】本発明の第１の実施形態に係る（ａ）健康管理システム１０のシステム構成図の一例、（ｂ）携帯端末２０のブロック構成図の一例、（ｃ）管理端末３０のブロック構成図の一例である。
【図２】本発明の第１の実施形態に係る健康管理システム１０の動作フローの一例を示すフローチャートである。
【図３】本発明の第２の実施形態に係る健康管理システム１００のシステム構成図の一例である。
【図４】本発明の第２の実施形態に係る健康管理システム１００の動作フローの一例を示すフローチャートである。
【発明を実施するための形態】
【００１２】
（第１の実施形態）
第１の実施形態について説明する。本実施形態に係る健康管理システムのシステム構成図の一例を図１（ａ）に、携帯端末のブロック構成図の一例を図１（ｂ）に、管理端末のブロック構成図の一例を図１（ｃ）に示す。
【００１３】
図１（ａ）において、健康管理システム１０は、携帯端末２０と管理端末３０とを備える。携帯端末２０は、第１の計測値が異常である場合、該第１の計測値を管理端末３０へ送信する。そして、携帯端末２０は、管理端末３０から新たな管理条件を受信した場合、記憶部に保存されている管理条件を、該受信した管理条件に更新する。
【００１４】
携帯端末２０は、ユーザが所持する携帯電話機等の端末であり、図１（ｂ）に示すように、記憶部２１と、第１の計測部２２と、第２の計測部２３と、制御部２４と、を備える。
【００１５】
記憶部２１には管理条件が保存される。第１の計測部２２は、第１の計測値を計測して制御部２４へ出力する。第１の計測部２２は、例えば、第１の計測値として血圧や脈拍数等の携帯端末２０のユーザの健康に関するデータを所定時間ごとに計測して制御部２４へ出力する。
【００１６】
第２の計測部２３は、第２の計測値を計測して出力する。第２の計測部２３は、例えば、第２の計測値として、振動データや音量データ等の携帯端末２０のユーザの周囲環境に関するデータを計測する。なお、第２の計測値は周囲環境に関するデータに限定されず、体温等の第１の計測値とは異なるユーザの健康に関するデータや、他の装置から受信したデータ等を適用することもできる。
【００１７】
制御部２４は、記憶部２１に保存されている管理条件を用いて第１の計測値が正常か異常かを判定し、第１の計測値が異常である場合、該第１の計測値を管理端末３０に送信すると共に第２の計測値を用いて緊急事態か否かを判定する。そして、緊急事態である場合は緊急通報を行う。また、制御部２４は、管理端末３０から管理条件が返信された場合、記憶部２１に保存されている管理条件を該返信された管理条件に更新する。
【００１８】
一方、管理端末３０は、携帯端末２０のユーザの健康を管理する管理者等が用いる端末であり、図１（ｃ）に示すように、操作部３１と制御部３２とを備える。操作部３１は、管理者等から新たな管理条件の入力を受け付ける。制御部３２は、携帯端末２０から第１の計測値を受信した場合、操作部３１が受け付けた管理条件を携帯端末２０へ返信する。
【００１９】
健康管理システム１０を用いて緊急通報を行う手順について、図２を用いて説明する。図２において、携帯端末２０の第１の計測部２２は、第１の計測値を計測して制御部２４へ出力する（Ｓ１）。本実施形態において、第１の計測部２２は、１時間ごとに第１の計測値として携帯端末２０のユーザの脈拍数を計測して制御部２４へ出力する。
【００２０】
制御部２４は、第１の計測部２２から第１の計測値を受け取った場合、記憶部２１に保存されている管理条件を用いて、受け取った第１の計測値が正常か異常か判定する（Ｓ２）。そして、正常の場合（Ｓ２のＹＥＳ）、次の第１の計測値を受け取るまで待機する。
一方、異常の場合（Ｓ２のＮＯ）、受け取った第１の計測値を管理端末３０へ送信すると共に（Ｓ３）、第２の計測部２３から第２の計測値を受け取り、該第２の計測値を用いて緊急事態か否かを判定する（Ｓ４）。そして、緊急事態である場合（Ｓ４のＹＥＳ）、緊急通報を行う（Ｓ５）。
【００２１】
本実施形態において、第２の計測部２３は、第２の計測値として振動データを計測する。そして、制御部２４は、受け取った振動データを解析することによってユーザが倒れたことを検出した場合、緊急事態であると判断して緊急通報を行う。
【００２２】
一方、管理端末３０は、Ｓ４により携帯端末２０から第１の計測値を受信した場合（Ｓ６）、操作部３１が携帯端末２０のユーザの健康を管理する管理者等から管理条件の入力を受け付ける（Ｓ７）。そして、管理端末３０の制御部３２は、管理者等が入力した新たな管理条件を携帯端末２０へ返信する（Ｓ８）。
【００２３】
携帯端末２０は、管理端末３０から管理条件を受信した場合（Ｓ９）、記憶部２１に保存されている管理条件を、管理端末３０から受信した管理条件に更新する（Ｓ１０）。
【００２４】
以上のように、本実施形態に係る携帯端末２０は、第１の計測値が異常の場合、さらに、第１の計測値とは別の第２の計測値を用いて緊急事態であるか否かを判定する。従って、緊急事態か否かを信頼性高く判断することができる。
【００２５】
また、本実施形態に係る健康管理システム１０において、携帯端末２０は、第１の計測値が異常である場合、該第１の計測値を管理端末３０へ送信し、新たな管理条件を受信した場合、記憶部２１に保存されている管理条件を該受信した管理条件に更新する。第１の計測値が異常である場合に管理条件が最適条件に更新されることにより、ユーザの健康状態をより適切に管理することができる。
【００２６】
（第２の実施形態）
本発明の第２の実施の形態について説明する。本実施形態に係る地域緊急システムのシステム構成図の一例を図３に示す。図３において、健康管理システム１００は、携帯端末２００と管理端末３００とを備える。
【００２７】
図３において、本実施形態に係る携帯端末２００は、健康データ計測部２１０、振動検出部２２０、集音部２３０、撮影部２４０、報知部２５０、ＧＰＳ機能部２６０、通信部２７０、メモリ２８０および制御部２９０を備える。
【００２８】
健康データ計測部２１０は、メモリ２８０に保存されている管理条件に基づき、携帯端末２００のユーザの健康データを計測し、計測した健康データを制御部２９０へ出力する。本実施形態において、健康データ計測部２１０は、ユーザに接触させた図示しないセンサが計測した電流値を取り込み、該計測した電流値から健康データを演算して制御部２９０へ出力する。
【００２９】
振動検出部２２０は、一般的な振動センサであり、携帯端末２００に加わる加速度を計測し、振動データとしてメモリ２８０に一時保存する。集音部２３０は、携帯端末２００の周囲音データを計測し、計測した周囲音データをメモリ２８０に一時保存する。撮影部２４０は、携帯端末２００の周囲環境を撮影し、撮影した撮影データをメモリ２８０に一時保存する。なお、メモリ２８０に保存される撮影データは動画像と静止画像とのどちらでも良いが、静止画像の場合は、短い時間内の数ショットの静止画像を保存する。
【００３０】
報知部２５０は、携帯端末２００のユーザや携帯端末２００の近くに居る人へ緊急事態を報知する。本実施形態において、報知部２５０は、緊急事態が発生した時に、携帯端末２００の図示しないスピーカからサイレン音を出力し、ＬＥＤを点滅させ、さらに、携帯端末２００を振動させる。ＧＰＳ機能部２６０は、ＧＰＳ衛星から取得したデータから携帯端末２００の位置情報を演算し、演算した位置情報を制御部２９０へ出力する。
【００３１】
通信部２７０は、赤外線や磁力線等を用いた近距離無線通信および携帯電話機網を介した無線通信等を行うことにより、各種情報を送受信する。本実施形態において、通信部２７０は、ユーザに接触させたセンサが計測した電流値を磁力線を用いて健康データ計測部２１０に取り込む。また、通信部２７０は、携帯電話機網を介して健康データや管理条件等を送受信する。
【００３２】
メモリ２８０には、振動検出部２２０が計測した振動データ、集音部２３０が計測した周囲音データ、撮影部２４０が撮影した撮像データが、一時保存される。また、健康データ計測部２１０が計測した健康データおよび各種閾値等が保存される。
【００３３】
制御部２９０は、健康データ計測部２１０から取得した健康データが正常か異常かを判定する。そして、健康データが異常である場合、振動検出部２２０、集音部２３０および撮影部２４０が計測した各種データを用いて緊急事態であるか否か判定する。そして、緊急事態である場合、さらに、報知部２５０の状態を監視することにより緊急事態が継続しているか否か調査し、緊急事態が継続している場合は緊急通報を行う。
【００３４】
一方、管理端末３００は、携帯端末２００のユーザの健康状態を管理している管理者等が用いる端末であり、例えば、地域の介護施設や病院等に配置される。管理端末３００は、携帯端末２００から健康データを受信した場合、管理者へ管理条件の入力を促し、管理者が入力した新たな管理条件を携帯端末２００へ返信する。
【００３５】
次に、健康管理システム１００の動作フローについて図４を用いて説明する。本実施形態において、携帯端末２００の振動検出部２２０は、常時、携帯端末２００に加わる加速度を計測し、振動データを演算する。演算した振動データは、メモリ２８０に保存されている古い振動データに上書きされることにより、一時保存される。また、集音部２３０は、常時、携帯端末２００の周囲音データを計測し、計測した周囲音データはメモリ２８０に上書き保存される。さらに、撮影部２４０は、短い周期で携帯端末２００の周囲環境を撮影し、撮影した撮像データはメモリ２８０に上書き保存される。
【００３６】
一方、携帯端末２００の健康データ計測部２１０は、記憶部２８０に保存されている管理条件に基づいて、ユーザの健康データを計測している。本実施形態において、健康データ計測部２１０は、ユーザに接触させた図示しないセンサが計測した電流値を磁力線を用いて１時間ごとに取り込み、計測した電流値から血圧値（健康データ）を演算して制御部２９０へ出力する（Ｓ１０１）。
【００３７】
制御部２９０は、健康データ計測部２１０から受け取った健康データをメモリ２８０に保存し（Ｓ１０２）、さらに、メモリ２８０に保存されている管理条件を用いて、受け取った健康データが正常か否か判定する（Ｓ１０３）。そして、受け取った健康データが正常である場合（Ｓ１０３のＹＥＳ）、次の健康データを受け取るまで待機する。
【００３８】
一方、受け取った健康データが異常である場合（Ｓ１０３のＮＯ）、制御部２９０は、健康データを携帯電話機網を介して管理端末３００へ送信し（Ｓ１０４）、さらに、メモリ２８０に保存されている振動データ、周囲音データおよび撮像データを解析することにより、緊急事態か否か判定する（Ｓ１０５）。本実施形態において、制御部２９０は、振動データおよび周囲音データの解析結果からユーザが倒れたと判断された場合や、撮像データの解析結果からユーザが動いていないと判断された場合に、緊急事態であると判断する。
【００３９】
Ｓ１０５において、制御部２９０は、緊急事態ではない場合（Ｓ１０５のＮＯ）、管理端末３００から新たな管理条件が返信されるまで待機する。一方、緊急事態である場合（Ｓ１０５のＹＥＳ）、制御部２９０は、報知部２５０を制御して周囲に緊急事態を報知する（Ｓ１０６）。本実施形態において報知部２５０は、スピーカからサイレン音を出力し、ＬＥＤを点滅させ、携帯端末２００を振動させる。
【００４０】
そして、サイレン音の出力、ＬＥＤの点滅および携帯端末２００の振動等の報知部２５０による報知が、所定期間経過した時に継続した場合（Ｓ１０７のＹＥＳ）、ユーザがこれらの報知を停止できない状態にあり、さらに、周囲に誰もいないと判断する。そして、制御部２９０は、ＧＰＳ機能部２６０から携帯端末２００の位置情報を、メモリ２８０から所定期間の健康データを取得し（Ｓ１０８）、取得した位置情報および健康データを添付して、自動的に緊急通報を行う（Ｓ１０９）。すなわち、救急車の出動要請手配や急病人の病院受入準備の指示等を行う。
【００４１】
一方、Ｓ１０７において、報知部２５０による報知が所定期間経過する前に停止された場合（Ｓ１０７のＮＯ）、携帯端末２００の表示部に緊急事態である旨の表示と健康データの推移等を表示し（Ｓ１１０）、管理端末３００から新たな管理条件が返信されるまで待機する。本実施形態において、表示部に表示した健康データは、周囲の人が所定のボタンを押下することにより、所定の病院へ送信されるようになっている。
【００４２】
一方、Ｓ１０４により携帯端末２００から異常であると判定された健康データを受信した管理端末３００は（Ｓ１１１）、健康データを受信したことを管理者へ報知して新たな管理条件の入力を促す（Ｓ１１２）。そして、管理端末３００は、管理者から新たな管理条件の入力を受け付けた後（Ｓ１１３）、該受け付けた管理条件を、携帯端末２００へ送信する（Ｓ１１４）。本実施形態において、管理者は、受信した健康データを確認し、例えば、計測間隔を短くしたり、閾値を厳しくしたりすることにより、管理条件を更新する。ここで、本実施形態では、管理端末３００は、管理条件を変更しない場合でも、同じ内容の管理条件を更新用の管理条件として携帯端末２００に送信する。
【００４３】
携帯端末２００は、管理端末３００から管理条件を受信した場合（Ｓ１１５）、メモリ２８０に保存されている管理条件を受信した管理条件に更新する（Ｓ１１６）。
【００４４】
以上説明したように、本実施形態に係る健康管理システム１００は、健康データが異常と判断され、緊急事態であると判断された場合、さらに、緊急事態が継続しているか否かを調査する。そして、緊急事態が継続している場合に自動的に緊急通報を行う。従って、誤って緊急通報を行うことを低減することができる。
【００４５】
また、緊急通報に携帯端末２００の位置情報と所定期間の健康データとを添付することにより、介護者や救急車等は速やかに現場に到着することができると共に、受入先の病院等においては、事前に健康データを確認して受け入れ体制を整えることができる。
【００４６】
さらに、本実施形態に係る健康管理システム１００は、健康データが異常となった場合、管理端末３００へ健康データを送信し、管理条件を更新する。健康データが異常である場合に管理条件を最適条件に更新することにより、ユーザの健康状態をより適切に管理することができる。
【００４７】
ここで、本実施形態では、振動検出部２２０、集音部２３０および撮影部２４０は、常時、振動データ、周囲音データおよび撮像データを取得してメモリ２８０に上書き保存し、制御部２９０は健康データが異常である場合に、メモリ２８０に保存されているこれらのデータを用いて緊急事態か否か判定したが、これに限定されない。制御部２９０は、健康データが異常であると判定した後、振動検出部２２０、集音部２３０および撮影部２４０を制御して、振動データ、周囲音データおよび撮像データの取得を開始させ、該新たに取得した振動データ、周囲音データおよび撮像データを用いて緊急事態か否か判定することもできる。
【００４８】
（第２の実施形態の変形例）
健康管理システム１００を用いて児童虐待の発生を検出することについて説明する。本実施形態では、携帯端末２００を防水加工が施されたリストバンド状の端末に形成し、児童に装着する。
【００４９】
携帯端末２００は、常時、振動データ、周囲音データおよび撮像データ等を計測している。また、携帯端末２００の健康データ計測部２１０は、所定の管理条件に基づいて子供の脈拍数（健康データ）を計測する。そして、計測した脈拍数が所定の閾値より大きい場合（異常である場合）、児童相談所等に設置された管理端末３００へ脈拍数を送信すると共に、振動データ、周囲音データおよび撮像データを解析する。そして、これらのデータから虐待が発生したと判断した場合（緊急事態である場合）、報知部２５０を作動させると共に、振動データ、周囲音データおよび撮像データの取得を開始する。
【００５０】
制御部２９０は、報知部２５０からの報知が一定時間継続された場合ではなく、取得を開始した振動データ、周囲音データおよび撮像データを解析し、引き続き虐待が継続されていると判断した場合（緊急事態が継続している場合）、位置情報および解析結果を添付して自動的に警察署等へ緊急通報を行う。
【００５１】
なお、児童虐待の発生を検出する場合は、携帯端末２００の電源がＯＦＦされたり、児童から取り外されたりすることを検出または防止する機能を付加することが望ましい。
【符号の説明】
【００５２】
１０、１００  健康管理システム
２０、２００    携帯端末
３０、３００    管理端末
２１    記憶部
２２    第１の計測部
２３    第２の計測部
２４    制御部
３１    操作部
３２    制御部
２１０    健康データ計測部
２２０    振動検出部
２３０    集音部
２４０    撮影部
２５０    報知部
２６０    ＧＰＳ機能部
２７０    通信部
２８０    メモリ
２９０    制御部
【図１】
0005697402.tif 000002
【図２】
0005697402.tif 000003
【図３】
0005697402.tif 000004
【図４】
0005697402.tif 000005